(57)【特許請求の範囲】
【請求項１】
所定形状の屋根と、屋根の幅方向両端側をそれぞれ支持する複数の柱とを備えた屋根付き構造物において、
一端を屋根の幅方向一端側に連結され、他端を屋根の幅方向他端側に位置する柱の下端側に連結された第１の補強部材と、
一端を屋根の幅方向他端側に連結され、他端を屋根の幅方向一端側に位置する柱の下端側に連結された第２の補強部材とを備え、
各補強部材を互いに交差させてその交差部分同士を固定するとともに、
各補強部材の一端側をそれぞれ柱の上端側と交差させてその交差部分同士を固定した
ことを特徴とする屋根付き構造物。
【請求項２】
前記屋根、柱及び各補強部材からなる構造物本体を屋根の奥行き方向に複数連続して備えた
ことを特徴とする請求項１記載の屋根付き構造物。
【請求項３】
前記構造物本体内に上下方向少なくとも一段の床板を備えた
ことを特徴とする請求項２記載の屋根付き構造物。
【請求項４】
一部の構造物本体の少なくとも一部の床板を他の構造物本体の床板と上下方向の位置が異なるように設けた
ことを特徴とする請求項３記載の屋根付き構造物。
【発明の詳細な説明】
【０００１】
【発明の属する技術分野】
本発明は、例えば屋外の遊戯施設等として設置される屋根付き構造物に関するものである。
【０００２】
【従来の技術】
従来、屋外に設置される簡易的な屋根付き構造物として、所定形状の屋根を複数の柱によって支持したものが知られている。この屋根付き構造物は、例えば公園、キャンプ場またはゴルフ場等の野外施設における休憩所や、各種建物，施設等に付随する備品置き場、更には内部に遊具等を備えた遊戯施設等として設置される場合もある。
【０００３】
【発明が解決しようとする課題】
ところで、前記屋根付き構造物は、その使用目的や建設コストの面から、一般の建物のような堅牢な構造とする必要性が少ないため、主要部材を屋根及び柱のみとする木造建築により比較的簡素に建造されている。このため、地震や強風等によって損壊し易いことから、強度の向上が望まれていた。
【０００４】
本発明は前記問題点に鑑みてなされたものであり、その目的とするところは、簡単且つ低コストな構造の追加により十分な強度を得ることのできる屋根付き構造物を提供することにある。
【０００５】
【課題を解決するための手段】
本発明は前記目的を達成するために、請求項１では、所定形状の屋根と、屋根の幅方向両端側をそれぞれ支持する複数の柱とを備えた屋根付き構造物において、一端を屋根の幅方向一端側に連結され、他端を屋根の幅方向他端側に位置する柱の下端側に連結された第１の補強部材と、一端を屋根の幅方向他端側に連結され、他端を屋根の幅方向一端側に位置する柱の下端側に連結された第２の補強部材とを備え、各補強部材を互いに交差させてその交差部分同士を固定するとともに、各補強部材の一端側をそれぞれ柱の上端側と交差させてその交差部分同士を固定している。これにより、各補強部材は互いに交差してその交差部分を固定されるとともに、それぞれ各柱に交差してその交差部分を固定されることから、簡単な構造の追加により強度が十分に向上する。
【０００６】
また、請求項２では、請求項１記載の屋根付き構造物において、前記屋根、柱及び各補強部材からなる構造物本体を屋根の奥行き方向に複数連続して備えている。これにより、請求項１の作用に加え、構造物全体の長さを使用目的の規模に応じて任意に設定可能となる。
【０００７】
また、請求項３では、請求項２記載の屋根付き構造物において、前記構造物本体内に上下方向少なくとも一段の床板を備えている。これにより、請求項２の作用に加え、例えば構造物本体内の床板に人が載って遊戯可能となる。
【０００８】
また、請求項４では、請求項３記載の屋根付き構造物において、一部の構造物本体の少なくとも一部の床板を他の構造物本体の床板と上下方向の位置が異なるように設けている。これにより、請求項３の作用に加え、各構造物本体内を上下方向の位置の異なる床板に任意に移動しながら進むことが可能となる。
【０００９】
【発明の実施の形態】
図１及び図２は本発明の一実施形態を示すもので、図１は屋根付き構造物の斜視図、図２はその正面図である。
【００１０】
この屋根付き構造物は、所定形状の屋根１と、屋根１の幅方向両端側をそれぞれ支持する計４本の柱２と、屋根１及び各柱２にそれぞれ連結された第１の補強部材３及び第２の補強部材４とからなる。
【００１１】
屋根１は幅方向両端側がそれぞれ下方に向かって互いにほぼ直角をなすようにうに傾斜しており、その下面側は枠材１ａによって支持されている。
【００１２】
各柱２は上端を屋根１側にそれぞれ連結され、その下端側は基礎２ａに固定されている。この場合、各柱２はそれぞれ屋根１の幅方向両端よりも内側に位置するように配置されている。また、構造物本体の前面側の各柱２と背面側の各柱２は、それぞれ奥行き方向に延びる連結部材２ｂを介して互いに上端側を連結されている。
【００１３】
第１の補強部材３は一端を屋根１の幅方向一端側に連結され、他端を屋根１の幅方向他端側に位置する柱２の下端側に連結されている。この場合、第１の補強部材１の一端側は屋根１の幅方向一端側に位置する柱２の上端側と交差しており、その交差部分を柱２に固定されている。
【００１４】
第２の補強部材４は一端を屋根１の幅方向他端側に連結され、他端を屋根１の幅方向一端側に位置する柱２の下端側に連結されている。この場合、第２の補強部材４の一端側は屋根１の幅方向他端側に位置する柱２の上端側と交差しており、その交差部分を柱２に固定されている。
【００１５】
各補強部材３，４は互いにほぼ直角に交差しており、その交差部分を互いに固定されている。
【００１６】
以上の構成においては、屋根１及び各柱２に互いに斜めに交差する第１及び第２の補強部材３，４が取付けられ、各補強部材３，４は互いに交差してその交差部分同士を固定されるとともに、それぞれ各柱２に交差してその交差部分同士を固定されていることから、構造物本体の強度が向上し、地震や強風等によって容易に損壊することがない。
【００１７】
このように、本実施形態の屋根付き構造物によれば、第１及び第２の補強部材３，４を互いに交差させて固定し、更に各柱２に交差させて固定するようにしたので、簡単且つ低コストな構造の追加により十分な強度を得ることができ、例えば公園、キャンプ場またはゴルフ場等の野外施設における休憩所や、各種建物，施設に付随する備品置き場等として設置する場合に極めて有利である。
【００１８】
図３は本発明の他の実施形態を示すもので、前記実施形態の構造物本体を複数備えた屋根付き構造物の側面図である。即ち、本実施形態の屋根付き構造物は遊戯装置として公園等に設置されるものである。
【００１９】
同図に示す各構造物本体１０は、それぞれ前記屋根１、柱２及び各補強部材３，４を備え、互いに屋根１の奥行き方向に連続して設けられている。また、各構造物本体１０内にはそれぞれ床板１１が設けられており、各構造物本体１０の一部の床板１１は他の構造物本体１０の床板１１と上下方向の位置が異なるように配置されている。例えば、図３に示すように最端部（図中左側）の構造物本体１０は上段、中段及び下段のうち中段と下段のみに床板１１を有し、これに隣接する構造物本体１０は上段と下段のみに床板１１を有している。また、最端部の構造物本体１０には、中段の床板１１と地面との間に掛け渡された昇降部材１２が設けられている。
【００２０】
以上の構成においては、各構造物本体１０内に床板１１が設けられているので、遊戯者Ａが床板１１に載って遊戯することができる。また、各構造物本体１０は奥行き方向に連続して設けられているので、遊戯者Ａが各構造物本体１０の床板１１上を順次移動することができる。その際、各構造物本体１０の床板１１は部分的に上下方向の位置が異なるため、高さ位置の異なる床板１１に任意に移動しながら進むことにより、変化に富んだ遊戯を楽しむことができる。
【００２１】
また、前記実施形態によれば、構造物本体１０の数により構造物全体の長さを任意に設定することができるので、規模の異なる遊戯装置を設計する場合に極めて有利である。
【００２２】
尚、前記実施形態のように複数の構造物本体１０を連続させた屋根付き構造物は、遊戯装置以外にも用いることができる。
【００２３】
【発明の効果】
以上説明したように、請求項１の屋根付き構造物によれば、簡単且つ低コストな構造の追加により十分な強度を得ることができるので、例えば公園、キャンプ場またはゴルフ場等の野外施設における休憩所、各種建物または施設に付随する備品置き場、或いは屋外の遊戯装置として設置する場合に極めて有利である。
【００２４】
また、請求項２の屋根付き構造物によれば、請求項１の効果に加え、構造物全体の長さを使用目的の規模に応じて任意に設定することができるので、設計上極めて有利である。
【００２５】
また、請求項３の屋根付き構造物によれば、請求項２の効果に加え、構造物本体内の床板に人が載って遊戯することができるので、遊戯装置として設置する場合に極めて有利である。
【００２６】
また、請求項４の屋根付き構造物によれば、請求項３の効果に加え、各構造物本体内を上下方向の位置の異なる床板に任意に移動しながら進むことができるので、変化に富んだ遊戯を楽しむことができる。
【図面の簡単な説明】
【図１】本発明の一実施形態を示す屋根付き構造物の斜視図
【図２】屋根付き構造物の正面図
【図３】本発明の他の実施形態を示す屋根付き構造物の側面図
【符号の説明】
１…屋根、２…柱、３…第１の補強部材、４…第２の補強部材、１１…床板。
【図１】
0003543081.tif 000002
【図２】
0003543081.tif 000003
【図３】
0003543081.tif 000004